Podtech/llm-jp-corpus-v4-ja_patent huggingface dataset:
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
多孔質コア層を含む熱可塑性複合品を製造する方法であって、
前記多孔質コア層は複数の強化繊維、１つの熱可塑性材料、及び１つの膨張性黒鉛材料を含み、
前記膨張性黒鉛材料のいかなる実質的なロフティングもなしで前記熱可塑性材料の融点を超える第一温度へ、前記強化繊維、前記熱可塑性材料、及び前記膨張性黒鉛材料を加熱し、前記熱可塑性材料、前記膨張性黒鉛材料、及び前記強化繊維を含むウェブを形成し、
前記コア層が４ｍｍの厚さを超えないときに、前記熱可塑性複合品は２０１０年のＡＳＴＭ  Ｅ１０５０により試験した場合に２４００Ｈｚにおいて少なくとも０．２の製造時状態における吸音率を与える、
ことを備える、前記方法。
【請求項２】
前記熱可塑性複合品を成形することなく建築用パネルとして前記熱可塑性複合品を使用することをさらに備える、請求項１に記載の方法。
【請求項３】
２０１０年のＡＳＴＭ  Ｅ１０５０により試験した場合に２４００Ｈｚにおいて少なくとも０．２の前記吸音率を与えながら、３．５ｍｍより厚くはないように前記熱可塑性複合品の厚さを構成することをさらに備える、請求項１に記載の方法。
【請求項４】
２０１０年のＡＳＴＭ  Ｅ１０５０により試験した場合に２４００Ｈｚにおいて少なくとも０．２の前記吸音率を与えながら、２ｍｍより厚くはないように前記熱可塑性複合品の厚さを構成することをさらに備える、請求項１に記載の方法。
【請求項５】
前記コア層を形成する前に、４ｍｍ未満の厚さへ前記熱可塑性物品の前記コア層を圧縮することをさらに備える、請求項１に記載の方法。
【請求項６】
前記コア層を形成する前に、２ｍｍ未満の厚さへ前記熱可塑性物品の前記コア層を圧縮することをさらに備える、請求項１に記載の方法。
【請求項７】
前記熱可塑性複合品の１つの表面上にスクリムにより前記熱可塑性複合品を構成することをさらに備える、請求項１に記載の方法。
【請求項８】
前記熱可塑性複合品の対向する表面上に追加のスクリムにより前記熱可塑性複合品を構成することをさらに備え、前記スクリム及び前記追加のスクリムのうちの少なくとも１つは、オープンセル構造を備える、請求項７に記載の方法。
【請求項９】
前記熱可塑性材料を含む前記多孔質コア層のバランスに関して、約３０〜６０重量パーセントの前記強化繊維としてのガラス繊維、及び約５〜１５重量パーセントの膨張性黒鉛材料により前記多孔質コア層を構成することをさらに備える、請求項１に記載の方法。
【請求項１０】
前記膨張性黒鉛材料の少なくとも８５重量％の炭素含有量、前記膨張性黒鉛材料の１重量％未満の水分含有量を有するように、前記膨張性黒鉛材料の４重量％未満の硫黄含有量を有するように、ならびに前記膨張性黒鉛材料の２７０：１ｇ／ｃｃ以下の膨張比、及び任意選択で５〜１０の有効なｐＨ範囲を有するように前記膨張性黒鉛材料を選択することをさらに備える、請求項９に記載の方法。
【請求項１１】
混合物内で熱可塑性材料、強化繊維、及び膨張性黒鉛材料を混合させ、撹拌された水溶性発泡体を形成し、
前記撹拌された水溶性発泡体をワイヤ支持体上に配置し、
前記水を排出してウェブを形成し、
前記熱可塑性材料の前記融解温度以上の第一温度へ前記ウェブを加熱し、前記第一温度は前記膨張性黒鉛材料の実質的なロフティングが発生しないように選択され、
４ｍｍを超えない厚さへ前記ウェブを圧縮し、熱可塑性複合品を提供し、
前記熱可塑性複合品のいかなる成形もせずに前記提供された熱可塑性複合品を使用し、
前記圧縮されたウェブが４ｍｍを超えない厚さを有するときに、前記熱可塑性複合品は２０１０年のＡＳＴＭ  Ｅ１０５０により試験した場合に２４００Ｈｚにおいて少なくとも０．２の吸音率を与える、
ことを備える、方法。
【請求項１２】
前記圧縮ステップは、１セットのローラーに前記加熱されたウェブを通し、４ｍｍを超えない前記厚さを提供することを備える、請求項１１に記載の方法。
【請求項１３】
前記膨張性黒鉛材料が前記撹拌された水溶性発泡体内に均質に分散するまで前記撹拌された水溶性発泡体を混合することをさらに備える、請求項１１に記載の方法。
【請求項１４】
前記物品を圧縮する前に前記熱可塑性複合品の少なくとも１つの表面へスクリムをさらに適用する、請求項１１に記載の方法。
【請求項１５】
前記物品を圧縮した後に前記熱可塑性複合品の少なくとも１つの表面へスクリムをさらに適用する、請求項１１に記載の方法。
【請求項１６】
前記物品が２ｍｍを超えないように圧縮されるときに、２０１０年のＡＳＴＭ  Ｅ１０５０により試験した場合に２４００Ｈｚにおいて少なくとも０．２の吸音率を与える熱可塑性複合品を提供するように２ｍｍを超えない厚さに前記物品を圧縮することをさらに備える、請求項１１に記載の方法。
【請求項１７】
前記熱可塑性物品と実質的に同一の組成物及び厚さを有する第二熱可塑性物品に前記熱可塑性物品をカップリングすることをさらに備える、請求項１１に記載の方法。
【請求項１８】
前記熱可塑性物品と実質的に同一の組成物、及び異なる厚さを有する第二熱可塑性物品へ前記熱可塑性物品をカップリングすることをさらに備える、請求項１１に記載の方法。
【請求項１９】
前記異なる厚さを有する前記熱可塑性物品は、４ｍｍ厚を超えない、請求項１８に記載の方法。
【請求項２０】
前記膨張性黒鉛材料の少なくとも８５重量％の炭素含有量、前記膨張性黒鉛材料の１重量％未満の水分含有量を有するように、前記膨張性黒鉛材料の４重量％未満の硫黄含有量を有するように、ならびに前記膨張性黒鉛材料の２７０：１ｇ／ｃｃ以下の膨張比、及び任意選択で５〜１０の有効なｐＨ範囲を有するように前記膨張性黒鉛材料を選択することをさらに備える、請求項１１に記載の方法。
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
線形アクチュエータ（１）であって、
−  モータ（２）の回転部（４）と共に回転するように配置された第１部（３）と、
−  被作動部（１８、２２）を駆動するように配置された第２部（５）と、
−  前記第２部（５）が前記第１部（３）と同じ角速度で前記第１部（３）と共に回転することを可能にするために前記第１部（３）と前記第２部（５）とを相互接続する継手（６）であって、前記第１部（３）が、前記第２部（５）に係合しかつ前記第２部（５）を前記第１部（３）と共に回転させる前に所定の距離だけ回転することを可能にする、前記第１部（３）と前記第２部（５）との間の嵌合い公差を定める、継手（６）と
を含み、
前記所定の距離が前記ステッパモータの少なくとも０．１５フルステップ、および最大で２フルステップに対応する、
線形アクチュエータ（１）。
【請求項２】
前記第１部（３）が前記モータ（２）のモータシャフトまたは回転子である、請求項１に記載の線形アクチュエータ（１）。
【請求項３】
前記第２部（５）がねじ部分（１１）を含み、前記被作動部（１８、２２）が、前記第２部（５）の前記ねじ部分（１１）に係合するように配置されたねじ部分を有する線形可動要素（１８）を含む、請求項１または２に記載の線形アクチュエータ（１）。
【請求項４】
前記第２部（５）と前記被作動部（１８、２２）との間のねじ接続部が自動ロック式である、請求項３に記載の線形アクチュエータ（１）。
【請求項５】
前記被作動部が可動バルブ要素（２２）である、請求項１〜４のいずれか一項に記載の線形アクチュエータ（１）。
【請求項６】
前記継手（６）が、前記第１部（３）および前記第２部（５）の一方に形成された少なくとも１つの突出部（９、１２、１５）と、前記第１部（３）および前記第２部（５）の他方に形成された少なくとも１つの凹部（１３、１６）とを含み、各凹部（１３、１６）が突出部（９、１２、１５）を受けるように配置され、前記凹部（１３、１６）が、前記突出部（９、１２、１５）が前記凹部（１３、１６）の壁に係合する前に、前記所定の距離に対応する前記第１部（３）および前記第２部（５）の相対的移動を可能にするような大きさおよび形状にされる、請求項１〜５のいずれか一項に記載の線形アクチュエータ（１）。
【請求項７】
前記第１部（３）が、前記第１部（３）と前記第２部（５）との間の摺動インターフェイスを形成するように配置された摺動軸受（２５）を含む、請求項１〜６のいずれか一項に記載の線形アクチュエータ（１）。
【請求項８】
少なくとも１つの凹部（１６）が前記摺動軸受（２５）に形成される、請求項６または７に記載の線形アクチュエータ（１）。
【請求項９】
前記第２部（５）を支持する軸受配置構成（１４）であって、前記第１部（３）の回転軸に垂直な少なくとも１つの軸を中心とした前記第２部（５）の角度の付いた動きを可能にする軸受配置構成（１４）をさらに含む、請求項１〜８のいずれか一項に記載の線形アクチュエータ（１）。
【請求項１０】
前記継手（６）の前記嵌合い公差が、所定の閾値出力トルクを超える、前記第２部（５）に係合するときの前記第１部（３）の出力トルクを提供するように選択される、請求項１〜９のいずれか一項に記載の線形アクチュエータ（１）。
【請求項１１】
前記閾値出力トルクが、前記被作動部（１８、２２）を予備張力がかけられた状態から解放するために必要とされるトルクに対応する、請求項１０に記載の線形アクチュエータ（１）。
【請求項１２】
前記所定の距離が少なくとも１°の角距離に対応する、請求項１〜１１のいずれか一項に記載の線形アクチュエータ（１）。
【請求項１３】
バルブ（２０）であって、流体入口と、流体出口と、前記流体入口と前記流体出口との間の流路に配置された静止バルブ要素（２３）と、可動バルブ要素（２２）であって、前記バルブ（２０）の開口度を定めるために前記静止バルブ要素（２３）と協働するように配置された可動バルブ要素（２２）とを含み、請求項１〜１２のいずれか一項に記載の線形アクチュエータ（１）をさらに含み、前記線形アクチュエータ（１）が前記可動バルブ要素（２２）を作動させるように配置される、バルブ（２０）。
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
人工換気器と、
前記人工換気器を付けた患者に対して、気道圧及び気道空気流量の少なくとも一方を時間の関数として測定する少なくとも１つの気道センサと、
前記気道センサによって測定された気道圧及び気道空気流量の少なくとも一方を分析して、前記人工換気器を付けた患者によって生成される、時間の関数としての呼吸筋圧の自発呼吸異常を検出し、
前記人工換気器から受け取られた信号から、前記人工換気器のサイクルオフの時間を判定し、
前記人工換気器のサイクルオフの時間に対する、前記気道圧及び気道空気流量の少なくとも一方において検出されたピークの位置に基づいて、患者−人工換気器間の不同調の種類を特定する、
少なくとも１つのマイクロプロセッサと、
前記少なくとも１つのマイクロプロセッサによって検出された自発呼吸異常の指示を表示するディスプレイコンポーネントとを備えた、人工換気装置。
【請求項２】
前記少なくとも１つの気道センサは、気道圧を時間の関数として測定する気道圧センサを含み、
前記少なくとも１つのマイクロプロセッサは、前記気道圧センサによって測定された気道圧を分析して、早いサイクルオフの事象からなる自発呼吸異常を、前記人工換気器のサイクルオフと同時の、時間の関数としての前記気道圧の二段ピークとして検出する、請求項１に記載の人工換気装置。
【請求項３】
前記少なくとも１つの気道センサは、気道圧を時間の関数として測定する気道圧センサを含み、
前記少なくとも１つのマイクロプロセッサは、前記気道圧センサによって測定された気道圧を分析して、二段努力の事象からなる自発呼吸異常を、二段ピークのうち少なくとも一方のピークが前記人工換気器のサイクルオフと同時でない、時間の関数としての前記気道圧の前記二段ピークとして検出する、請求項１又は２に記載の人工換気装置。
【請求項４】
前記少なくとも１つの気道センサは、気道圧を時間の関数として測定する気道圧センサを含み、
前記少なくとも１つのマイクロプロセッサは、前記気道圧センサによって測定された気道圧を分析して、努力性呼気を含む自発呼吸異常を、閾値よりも大きい、前記人工換気器のサイクルオフに続く前記気道圧の下方への勾配として検出する、請求項１乃至３のいずれか一項に記載の人工換気装置。
【請求項５】
前記少なくとも１つのマイクロプロセッサは、前記人工換気器のサイクルオフを示す信号を受け取り、前記信号を使用して前記人工換気器のサイクルオフの時間を判定する、請求項２乃至４のいずれか一項に記載の人工換気装置。
【請求項６】
前記少なくとも１つの気道センサは、気道圧を時間の関数として測定する気道圧センサを含み、
前記少なくとも１つのマイクロプロセッサは、前記気道圧センサによって測定された気道圧を分析して、自発呼吸異常を、１回の呼吸サイクル中の時間の関数としての前記気道圧の二段ピークとして検出する、請求項１に記載の人工換気装置。
【請求項７】
前記少なくとも１つの気道センサは、気道圧を測定する気道圧センサと、気道空気流量を測定する空気流量センサとを含み、前記少なくとも１つのマイクロプロセッサはさらに、
測定された前記気道圧及び気道空気流量に基づいて、少なくとも呼吸筋圧を含む１つ又は複数の呼吸器系変数を時間の関数として計算し、
前記自発呼吸異常の前記検出では、時間の関数としての計算された前記呼吸筋圧を使用しない、請求項１乃至６のいずれか一項に記載の人工換気装置。
【請求項８】
前記少なくとも１つのマイクロプロセッサは、早いサイクルオフ異常、努力性呼気異常、及び二段努力異常を少なくとも含む自発呼吸異常を検出し、
前記ディスプレイコンポーネントは、早いサイクルオフ異常、努力性呼気異常、又は二段努力異常が検出された場合、計算された前記呼吸器系変数の非信頼性を示す、請求項７に記載の人工換気装置。
【請求項９】
呼吸力閉ループコントローラをさらに備え、前記呼吸力閉ループコントローラは、
早いサイクルオフ異常、努力性呼気異常、及び二段努力異常を少なくとも含む少なくとも１つの自発呼吸異常の検出に応答した少なくとも１つのフラグ値に応答して、前記人工換気器の出力を調節する、請求項１乃至８のいずれか一項に記載の人工換気装置。
【請求項１０】
前記ディスプレイコンポーネントは、測定された前記気道圧及び気道空気流量に基づく時間の関数としての呼吸筋圧を少なくとも含む、１つ又は複数の呼吸器系変数の値を表示する、請求項７に記載の人工換気装置。
【請求項１１】
自発呼吸異常を検出する方法を行うために１つ又は複数のマイクロプロセッサにより読み取り及び実行が可能な命令を記憶した非一時的な記憶媒体であって、前記方法は、
人工換気器を付けた患者に対して獲得された気道圧対時間信号のピークを検出するステップと、
１回の呼吸内で、前記気道圧対時間信号の二段ピークによって示される患者−換気器間の不同調を検出するステップと、
人工換気器から受け取られた信号から、前記人工換気器のサイクルオフの時間を判定するステップと、
前記人工換気器のサイクルオフの時間に対する前記二段ピークの位置に基づいて、患者−人工換気器間の不同調の種類を特定するステップと、を有する、非一時的な記憶媒体。
【請求項１２】
前記特定するステップが、
前記二段ピークのうち第２のピークの位置が、前記人工換気器のサイクルオフの時間より後であることに基づいて、早いサイクルオフである前記患者−人工換気器間の不同調を特定するステップをさらに含む、請求項１１に記載の非一時的な記憶媒体。
【請求項１３】
前記方法が、
前記二段ピークが前記呼吸中で最も大きいピークであることに基づいて、早いサイクルオフである前記患者−人工換気器間の不同調を特定するステップをさらに有する、請求項１１に記載の非一時的な記憶媒体。
【請求項１４】
前記方法が、
測定された気道圧及び気道空気流量に基づいて、少なくとも呼吸筋圧を含む１つ又は複数の呼吸器系変数を時間の関数として計算するステップをさらに有し、
前記患者−人工換気器間の不同調の前記検出では、時間の関数としての計算された前記呼吸筋圧を使用しない、請求項１１乃至１３のいずれか一項に記載の非一時的な記憶媒体。
【請求項１５】
前記方法が、
早いサイクルオフ異常、努力性呼気異常、及び二段努力異常を少なくとも含む少なくとも１つの自発呼吸異常の検出に応答した少なくとも１つのフラグ値に応答して、前記人工換気器の出力を調節するステップをさらに有する、請求項１１乃至１４のいずれか一項に記載の非一時的な記憶媒体。
【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
患者の状態を予測し、表示される生理学的データをカスタマイズする方法であって、
パルスオキシメータである第１のセンサを使用して、前記患者のパルスオキシメータデータを取得し、第２のセンサを使用して、前記患者の第２の生理学的センサデータを取得するステップと、
１つ以上の症状、取得した前記パルスオキシメータデータ及び取得した前記第２の生理学的センサデータを、クラウドベースの予測エンジンにアップロードするステップと、
前記クラウドベースの予測エンジンを使用して、クラウドデータベースに対して、アップロードされた前記１つ以上の症状、取得した前記パルスオキシメータデータ及び取得した前記第２の生理学的センサデータをマッチングすることによって、生理学的状態を予測するステップと、
予測された前記生理学的状態に関連付けられる１つ以上の生理学的指標を特定するステップと、
予測された前記生理学的状態に関連付けられ、ユーザによって前にアップロードされていない第３の生理学的センサデータを測定することを提案するステップと、
前記患者から、予測された前記生理学的状態に関連付けられる前記第３の生理学的センサデータを取得するステップと、
取得した前記パルスオキシメータデータ、取得した前記第２の生理学的センサデータ、予測された前記生理学的状態及び前記第３の生理学的センサデータを、患者モニタ上に表示するステップと、
データ分析及びカスタマイズツールを使用して、表示されたデータをカスタマイズするステップと、
を含む、方法。
【請求項２】
前記予測するステップは、予測された前記生理学的状態にマッチする論文を見つけるべく医学研究データベースを検索するステップを含む、請求項１に記載の方法。
【請求項３】
特定された前記１つ以上の生理学的指標を、センサデータベースに追加するステップを更に含む、請求項１に記載の方法。
【請求項４】
前記提案するステップは、前記患者モニタ上に、前記センサデータベース内にリストされていない前記１つ以上の生理学的指標を表示するステップを含む、請求項３に記載の方法。
【請求項５】
前記１つ以上の症状は、息切れ、目まい、弱っている状態、足の無感覚、喘息、眠気及びこれらの組み合わせから選択される、請求項１に記載の方法。
【請求項６】
取得した前記第２の生理学的センサデータは、ＥＫＧ、ガス流量、ｐＨ及びこれらの組み合わせから選択される、請求項１に記載の方法。
【請求項７】
請求項１に記載の方法を使用して、患者の状態を予測し、表示される生理学的データをカスタマイズするシステムであって、
パルスオキシメータと、
前記パルスオキシメータ及びインターネットに接続され、前記インターネットを介して予測エンジン及び医学研究データベースにアクセスする制御ユニットであって、前記制御ユニットは、表示ソフトウェア、症状データベース及びセンサデータベースを含み、前記制御ユニットにより第２の生理学的センサ及び第３の生理学的センサを含む複数のセンサからのセンサデータが受信及び記憶可能にされる前記制御ユニットと、
前記制御ユニットに結合され、ディスプレイ、ユーザインターフェース、プロセッサ、通信モジュール及びメモリモジュールを有する患者モニタであって、前記メモリモジュールは１つ以上のデータ分析及びカスタマイズツールを有する、前記患者モニタと、
を含む、システム。
【請求項８】
前記予測エンジンは、ユーザによってアップロードされたデータを受信し、前記データを、別のデータ源からのデータと一緒に使用して、前記患者の推定生理学的状態を決定する、請求項７に記載のシステム。
【請求項９】
前記別のデータ源からの前記データは、前記ユーザからの病歴データ、患者集団からの統計データ、公開された医学データ又はこれらの組み合わせから選択される、請求項８に記載のシステム。
【請求項１０】
前記患者モニタは、データを分析及びカスタマイズするためのグラフィカルユーザインターフェースを含み、前記グラフィカルユーザインターフェースは、前記１つ以上のデータ分析及びカスタマイズツールに関連する複数のボタンを有するグラフィカルユーザインターフェースホーム画面を含む、請求項７に記載のシステム。
【請求項１１】
前記１つ以上のデータ分析及びカスタマイズツールは、表示マネジャソフトウェア、新規データタグ付けソフトウェア、データタグ検索ソフトウェア、変数相関付けソフトウェア及びこれらの組み合わせから選択される、請求項７に記載のシステム。
【請求項１２】
前記プロセッサによる命令の更なる実行によって、前記表示マネジャソフトウェアは、
前記ユーザが、前記患者モニタ上のデータを変更するために、前記１つ以上のデータ分析及びカスタマイズツールの少なくとも１つを選択することを可能にし、
選択された前記少なくとも１つのデータ分析及びカスタマイズツールから表示データを取り出し、
選択された前記少なくとも１つのデータ分析及びカスタマイズツールからすべての前記表示データが表示されたことを決定し、
前記表示データをアップデートする、請求項１１に記載のシステム。
【請求項１３】
前記プロセッサによる命令の更なる実行によって、前記新規データタグ付けソフトウェアは、
前記ユーザが、少なくとも１つのセンサデータを選択することを可能にし、
前記ユーザによって入力される、選択された前記少なくとも１つのセンサデータに対応する名称及び少なくとも１つのデータタグを受信し、
前記名称及び前記少なくとも１つのデータタグを、対応する前記少なくとも１つのセンサデータと共に、前記センサデータベースに記憶する、請求項１１に記載のシステム。
【請求項１４】
前記プロセッサによる命令の更なる実行によって、前記データタグ検索ソフトウェアは、
前記ユーザが、グラフィカルユーザインターフェースの検索フィールド内に少なくとも１つの検索用語を入力することを可能にし、
入力された前記検索用語が、前記センサデータベース内のエントリとマッチするように検索を開始し、
前記検索の結果を、前記表示マネジャソフトウェアに送信する、請求項１１に記載のシステム。
【請求項１５】
前記プロセッサによる命令の更なる実行によって、前記変数相関付けソフトウェアは、
前記ユーザが、従属変数、独立変数及び期間を入力することを可能にし、
前記センサデータベースから、前記従属変数、前記独立変数及び前記期間に対応するセンサデータを取り出し、
入力された前記従属変数及び前記独立変数の相関係数及び標準偏差を計算し、
計算された前記相関係数及び計算された前記標準偏差を、前記表示マネジャソフトウェアに送信する、請求項１１に記載のシステム。
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
ユーザーによる薬剤投与計画に対するアドヒアランスを監視するためのインテリジェント薬剤容器であって、該インテリジェント薬剤容器は、
開口を含むボトルであって、該開口を通して薬剤が排出され得る、ボトルと、
一対の導電素子であって、互いに実質的に平行になるように配向されて前記ボトルの前記開口内に、及び／又は、前記薬剤を囲う容器壁内に、配置されており、前記一対の導電素子は、有効化されたときに、継続的に静電容量を測定する、一対の導電素子と、
前記ボトルに固定して取り付けられ且つ前記ボトルの動きに関する動作データを生成するように構成された動作センサと、
プロセッサであって、
前記動作センサにより生成された前記動作データを検証し、
特定の動きの発生を検出し、
前記特定の動きの発生が検出されたことに応じて前記一対の導電素子を有効化させ、
前記静電容量の変化を確認し、且つ、
該変化に基づいて前記薬剤が前記一対の導電素子の間を通過し前記ボトルを出たかどうかを判定するように構成された、プロセッサと、
前記一対の導電素子により記録された静電容量データを、リモートコンピュータデバイスとで交換するように構成された無線通信モジュールと、を備えるインテリジェント薬剤容器。
【請求項２】
前記一対の導電素子が、前記インテリジェント薬剤容器の開口内に、及び／又は、前記容器壁内に、配置された、複数の導電素子の対の一つである、請求項１に記載の薬剤容器。
【請求項３】
前記薬剤投与計画に関する情報を表示することができる持続性電子ディスプレイと、
蓋が前記ボトルの前記開口上に配置されているかどうかを判定するように構成された蓋センサと、をさらに備える、請求項１に記載の薬剤容器。
【請求項４】
前記薬剤容器が、有線接続、無線誘導接続、又はこれら両方により充電可能である、請求項１に記載の薬剤容器。
【請求項５】
前記リモートコンピュータデバイスが、
薬剤が前記ボトルから排出されたかどうかを判定するために、前記複数の導電素子の対により記録された静電容量を分析し、
前記ボトル内の内容物が変化したかどうか、及び、前記内容物が変化した量を判定するために、前記複数の導電素子の対により記録された静電容量を分析し、
該分析結果と前記薬剤容器のユーザーの薬剤投与計画とを比較し、
前記ユーザーが、前記薬剤投与計画を遵守しているかどうかを判定するように構成された、請求項２に記載の薬剤容器。
【請求項６】
ユーザーによりなされた陳述を記録し、且つ、前記無線通信モジュールを使用して該記録を前記リモートコンピュータデバイスに送信するように構成されたオーディオ入力デバイスをさらに備える、請求項１に記載の薬剤容器。
【請求項７】
予め記録されたオーディオ記録を発信し、又は、前記無線通信モジュールによりリアルタイムでオーディオ記録を受信し、その後、発信するように構成されたオーディオ出力デバイスをさらに備える、請求項１に記載の薬剤容器。
【請求項８】
温度センサ、湿度センサ、又は圧力センサの少なくとも一つをさらに備える、請求項１に記載の薬剤容器。
【請求項９】
ユーザーに視覚的に情報を伝える一つ以上の発光ダイオードをさらに備える、請求項１に記載の薬剤容器。
【請求項１０】
ユーザーに聴覚的に情報を伝える一つ以上のスピーカをさらに備える、請求項１に記載の薬剤容器。
【請求項１１】
薬剤投与計画に対するアドヒアランスを監視するための方法であって、
動作センサにより、インテリジェント薬剤容器の動きを感知すること、
前記インテリジェント薬剤容器のプロセッサにより、特定の動きの発生を検出すること、
前記プロセッサにより、該検出に応じて、前記インテリジェント薬剤容器の開口内に、及び／又は、前記インテリジェント薬剤容器における内容物を囲う容器壁内に、配置された一対の導電素子を有効化させること、
有効化時に、前記一対の導電素子により、継続的に静電容量を測定すること、
第１のプロセッサにより、前記静電容量の変化を確認すること、
前記第１のプロセッサにより、前記変化から、薬剤が前記インテリジェント薬剤容器から排出されたかどうかを判定すること、
無線通信モジュールにより、前記静電容量をリモートコンピュータシステムに送信すること、及び、
第２のプロセッサにより、前記薬剤が前記薬剤投与計画に従って排出されたかどうかを判定すること、を備える方法。
【請求項１２】
前記一対の導電素子が、前記インテリジェント薬剤容器の開口内に、及び／又は、前記容器壁内に、配置された、複数の対をなす導電素子の一つである、請求項１１に記載の方法。
【請求項１３】
前記第２のプロセッサが、リモートコンピュータシステムに関連付けられている、請求項１１に記載の方法。
【請求項１４】
前記リモートコンピュータシステムにより、遵守状況を、個人による再確認用のコンピュータデバイスに送信することをさらに備えた、請求項１３に記載の方法。
【請求項１５】
前記個人が、前記薬剤投与計画又は医療専門家に従って前記薬剤を管理することを求められた患者である、請求項１４に記載の方法。
【手続補正書】
【提出日】令和1年10月23日(2019.10.23)
【手続補正１】
【補正対象書類名】明細書
【補正対象項目名】００６２
【補正方法】変更
【補正の内容】
【００６２】
例えば、ＰＡＭＡＭは、電着によって炭素電極の表面上に堆積させることができる。ＰＡＭＡＭのアミン基の酸化は、炭素表面上のＣ＝Ｃ基と相互作用するカチオンラジカル−ＮＨ２を生じ、これによって、共有結合でのグラフトを行う。
【手続補正２】
【補正対象書類名】明細書
【補正対象項目名】０１４０
【補正方法】変更
【補正の内容】
【０１４０】
−Ｇ４  ＰＡＭＡＭデンドリマー及びＡｕＮＰを用いたガラス状炭素電極の表面の修飾  検出システムの構築の第一段階は、ガラス状炭素電極の表面上へのＧ４  ＰＡＭＡＭデンドリマーの電着である。電着は、５０ｍＶ．ｓ−１のスキャン速度でのスキャン中において、０．０〜１．１の電位（Ｖ  ｖｓ．（参照電極としての）Ａｇ／ＡｇＣｌ）をスキャンすることによるＣＶ法によって、生成される。酸化反応中に、デンドリマーのアミン基は、炭素含有表面のＣ＝Ｃ芳香族基と相互作用する−ＮＨ２カチオンラジカルを形成する。
【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
組換えウイルスゲノムを含んでなり、そのゲノムは、融合たんぱく質をコードする目的のＵＰＲｐｌｕｓポリヌクレオチドと動作可能に結合する神経組織の特異的転写の調節領域を含んでなる発現カセットを含んでなる、アデノ随伴ベクター（ＡＡＶ）。
【請求項２】
前記ＡＡＶの血清型が、ＡＡＶ２、ＡＡＶ６、ＡＡＶ７、ＡＡＶ８、ＡＡＶ９、ＡＡＶ１０、ＡＡＶ１１、および偽型ＡＡＶを含んでなる群から選択される、請求項１に記載のアデノ随伴ベクター。
【請求項３】
転写調節領域が、とりわけ、ＣＭＶ、ＰＧＫ１、ＣＡＭＫＩＩ、ＴＨＹ１、ＧＡＤ３４を含んでなる群から選択されたプロモーター領域を包含する、請求項１または２に記載のアデノ随伴ベクター。
【請求項４】
とりわけ、Ｈａ、Ｆｌａｇ、Ｇｆｐ、Ｈｉｓ、およびＭｙｃ群から選択された免疫応答部位に対する翻訳領域を含んでなる、請求項１〜３のいずれか一項に記載のアデノ随伴ベクター。
【請求項５】
前記発現カセットが、ウッドチャック肝炎ウイルス（ＷＨＰ）の転写後調節領域を含んでなる、請求項１〜４のいずれか一項に記載のアデノ随伴ベクター。
【請求項６】
転写されるＵＰＲｐｌｕｓ標的配列が、ＸＢＰ１ｓ、ＡＴＦ６ｆ、および架橋またはリンカー配列を含んでなる、請求項１〜５に記載のアデノ随伴ベクター。
【請求項７】
架橋配列が、前記ＬＧＦ、Ｌ４Ｈ４、およびＬＦ配列を含んでなる、請求項６に記載のアデノ随伴ベクター。
【請求項８】
目的の前記ポリヌクレオチドが、神経細胞に対して全身的に近接して作用するかまたは神経細胞で作用する、ＸＢＰ１ｓ−ＬＧＦ−ＡＴＦ６ｆ−ＨＡ、ＸＢＰ１ｓ−ＬＦ−ＡＴＦ６ｆ−ＨＡ、ＸＢＰ１ｓ−Ｌ４Ｈ４−ＡＴＦ６ｆ−ＨＡ、ＡＴＦ６ｆ−ＬＧＦ−ＸＢＰ１ｓ−ＨＡ、ＡＴＦ６ｆ−ＬＦ−ＸＢＰ１ｓ−ＨＡ、およびＡＴＦ６ｆ−Ｌ４Ｈ４−ＸＢＰ１ｓ−ＨＡを含んでなる群の中で融合たんぱく質をコードする、請求項１〜６に記載のアデノ随伴ベクター。
【請求項９】
神経細胞に対して全身的に近接して作用するかまたは神経細胞で作用する目的の前記ポリヌクレオチドが、神経変性に関与する細胞に特異的である、請求項８に記載のアデノ随伴ベクター。
【請求項１０】
神経細胞に対して全身的に近接して作用するかまたは神経細胞で作用する目的の前記ポリヌクレオチドが、パーキンソン病およびハンチントン病に関与する細胞に特異的である、請求項９に記載のアデノ随伴ベクター。
【請求項１１】
神経細胞に対して全身的に近接して作用するかまたは神経細胞で作用する目的の前記ポリヌクレオチドが、優先的には黒質のドーパミン作動性ニューロンにおいて、パーキンソン病に関与する細胞に特異的であり、またハンチントン病に関して、線条体の中型有棘神経細胞（ＭＳＮ）と称されるＧＡＢＡ作動性の神経細胞にも特異的である、請求項１０に記載のアデノ随伴ベクター。
【請求項１２】
請求項１〜１１に記載のアデノ随伴ベクター、および薬剤的に許容可能な賦形剤を含んでなる、医薬組成物。
【請求項１３】
化合物１ｍｌ当たり１０９〜１０１３個のゲノムコピー（ＧＣ）の範囲のウイルスの用量を含んでなる、請求項１２に記載の医薬組成物。
【請求項１４】
神経変性疾患の治療のための薬物の調製に有用である、請求項１２または１３に記載の医薬組成物。
【請求項１５】
パーキンソン病および／またはハンチントン病の治療のための、請求項１２〜１４のいずれか一項に記載の医薬組成物。
【請求項１６】
アデノ随伴ウイルスのＩＴＲに隣接する発現カセットを含んでなり、前記発現カセットは、プロモーター、免疫応答に対する翻訳領域、およびＵＰＲｐｌｕｓ融合たんぱく質をコードする目的のポリヌクレオチドを含んでなる、ポリヌクレオチド。
【請求項１７】
ＵＰＲｐｌｕｓ融合たんぱく質が、ＸＢＰ１ｓ、ＡＴＦ６ｆ、および架橋またはリンカー配列を含んでなる、請求項１６に記載のポリヌクレオチド。
【請求項１８】
前記プロモーター領域が、ＣＭＶ、ＰＧＫ１、ＣＡＭＫＩＩ、ＴＨＹ１、およびＧＡＤ３４からなる群から選択される、請求項１６または１７に記載のポリヌクレオチド。
【請求項１９】
免疫応答部位に対する翻訳領域が、Ｈａ、Ｆｌａｇ、Ｇｆｐ、Ｈｉｓ、およびＭｙｃからなる群から選択される、請求項１６〜１８のいずれか一項に記載のポリヌクレオチド。
【請求項２０】
前記アデノ随伴ベクターの血清型が、神経細胞に特異的である、請求項１６〜１９のいずれか一項に記載のポリヌクレオチド。
【請求項２１】
前記アデノ随伴ベクターの血清型が、ＡＡＶ２および／またはＡＡＶ２／６偽型ベクターである、請求項２０に記載のポリヌクレオチド。
【請求項２２】
前記発現カセットがまた、ウッドチャック肝炎ウイルス（ＷＨＰ）の転写後調節エレメントをさらに含んでなる、請求項１６〜２１のいずれか一項に記載のポリヌクレオチド。
【請求項２３】
目的のポリヌクレオチドが、ＸＢＰ１ｓ−ＬＧＦ−ＡＴＦ６ｆ−ＨＡ、ＸＢＰ１ｓ−ＬＦ−ＡＴＦ６ｆ−ＨＡ、ＸＢＰ１ｓ−Ｌ４Ｈ４−ＡＴＦ６ｆ−ＨＡ、ＡＴＦ６ｆ−ＬＧＦ−ＸＢＰ１ｓ−ＨＡ、ＡＴＦ６ｆ−ＬＦ−ＸＢＰ１ｓ−ＨＡ、およびＡＴＦ６ｆ−Ｌ４Ｈ４−ＸＢＰ１ｓ−ＨＡからなる群から選択される融合たんぱく質をコードし、融合たんぱく質は、神経細胞に対して全身的に近接して作用するかまたは神経細胞で作用するものである、請求項１６〜２２のいずれか一項に記載のポリヌクレオチド。
【請求項２４】
目的の前記ポリヌクレオチドが、前記黒質のドーパミン作動性ニューロンに対して全身的に近接してまたは当該ニューロンで作用する、請求項１６〜２３のいずれか一項に記載のポリヌクレオチド。
【請求項２５】
生物学的寄託の国際機関である、ＩＮＩＡ、Instituto de Investigaciones Agropecuarias de Chileに第ＲＧＭ２２３１号、第ＲＧＭ２２３２号、第ＲＧＭ２２３３号、第ＲＧＭ２２３４号、第ＲＧＭ２２３５号、および第ＲＧＭ２２３６号からなる群から選択される寄託番号の下で寄託されたプラスミドであって、アデノ随伴ウイルスの配列、アデノ随伴ウイルスのＩＴＲと隣接する発現カセットを含んでなり、前記発現カセットは、プロモーター、免疫応答に対する翻訳領域、および目的のポリヌクレオチドを含んでなる、プラスミド。
【請求項２６】
請求項１６〜２４のいずれか一項に記載のポリヌクレオチドを含むウイルスゲノムを含んでなる、アデノ随伴ウイルス。
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
患者の状態のモニタリングのために環境パラメータを調整するシステムであって、前記システムは、
前記患者の酸素飽和度を測定するためのパルスオキシメータと、
前記パルスオキシメータ及び通信リンクに接続される患者モニタリングデバイスであって、
１つ又は複数の環境パラメータを入力するためのユーザインターフェースを有するディスプレイデバイス、
電源モジュール、
プロセッサ、
通信モジュール、
環境制御インターフェース、
センサデータを取得するための１つ又は複数の入力センサ、環境データを取得するための環境入力又はその両方からのデータ入力を処理するための信号プロセッサ、並びに
センサデータベース、設定データベース、及び環境制御ソフトウェアを含む、メモリを含む、患者モニタリングデバイスと、
前記通信リンクに接続され、前記１つ又は複数の環境パラメータを調整する環境コントローラとを含み、
前記ユーザインターフェースは、ユーザが１つ又は複数の酸素飽和度閾値範囲を入力することを可能にする１つ又は複数の条件フィールドと、前記ユーザが前記環境パラメータを入力する又は前記環境パラメータへの調整を入力することを可能にする１つ又は複数の応答フィールドとを提供する、システム。
【請求項２】
前記環境コントローラは、前記環境パラメータを制御する１つ又は複数のデバイスに１つ又は複数の制御信号を送信する、請求項１に記載のシステム。
【請求項３】
前記１つ又は複数の環境パラメータは、温度、湿度、空気流、照明、ベッド位置、及びこれらの組み合わせから選択される、請求項２に記載のシステム。
【請求項４】
前記環境パラメータを制御する前記１つ又は複数のデバイスは、ＨＶＡＣユニット、加湿器、ＬＥＤ電球、自動ベッド、及びこれらの組み合わせから選択される、請求項２に記載のシステム。
【請求項５】
前記１つ又は複数の制御信号は、物理的に、無線によって又はその両方で送信される、請求項２に記載のシステム。
【請求項６】
前記ユーザインターフェースは、プレチスモグラフ波形及び前記環境パラメータを表示する、請求項１に記載のシステム。
【請求項７】
前記プロセッサによる前記環境制御ソフトウェアの実施は、
前記１つ又は複数の酸素飽和度閾値範囲を受信し、
前記１つ又は複数の酸素飽和度閾値範囲を前記設定データベースに保存し、
前記センサデータ及び前記環境データの利用可能性について前記入力センサ及び前記環境入力をポーリングし、
前記センサデータ及び前記環境データを前記センサデータベースに保存し、
保存された前記環境データを前記１つ又は複数の酸素飽和度閾値範囲と比較し、
前記保存された環境データが前記１つ又は複数の酸素飽和度閾値範囲内にある場合に、前記環境コントローラに制御変更信号を送信する、請求項１に記載のシステム。
【請求項８】
患者の状態のモニタリングのために環境パラメータを調整するための方法であって、
ユーザインターフェース上の１つ又は複数のユーザ入力を介して、前記患者の状態及び前記患者に関するその他の情報を入力するステップと、
前記患者の状態に関する前記環境パラメータ及びその他の情報をデータベースで検索するステップと、
前記患者の状態に基づいて、調整する環境パラメータを決定するステップと、
前記環境パラメータの様々なセットに対応する酸素飽和度閾値範囲を定義するステップと、
前記環境パラメータの第１のセット下での前記患者の第１の酸素飽和度を、パルスオキシメータを介して測定するステップと、
前記第１の酸素飽和度が前記環境パラメータの第１のセットについて定義された閾値範囲外にある場合には、前記患者の状態に対応する前記環境パラメータを調整するステップと、
調整された前記環境パラメータ下での前記患者の第２の酸素飽和度を測定するステップとを含む、方法。
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
配列番号８のアミノ酸配列を含むキメラ抗原受容体（ＣＡＲ）をコードする、単離された核酸分子。
【請求項２】
前記ＣＡＲをコードする核酸分子は配列番号７の核酸配列を含む、または、
前記ＣＡＲをコードする核酸分子は配列番号４０の核酸配列を含む、請求項１に記載の核酸分子。
【請求項３】
請求項１に記載の単離された核酸分子によりコードされるキメラ抗原受容体（ＣＡＲ）。
【請求項４】
請求項１に記載の核酸分子を含むベクター。
【請求項５】
ＤＮＡベクター、ＲＮＡベクター、プラスミドベクター、コスミドベクター、ヘルペスウイルスベクター、麻疹ウイルスベクター、レンチウイルスベクター、アデノウイルスベクター、またはレトロウイルスベクター、またはそれらの組合せからなる群から選択される、請求項４に記載のベクター。
【請求項６】
プロモーターをさらに含む、請求項４に記載のベクター。
【請求項７】
前記プロモーターが、誘導性プロモーター、構成的プロモーター、組織特異的プロモーター、自殺プロモーター、またはそれらの任意の組合せである、請求項６に記載のベクター。
【請求項８】
請求項４に記載のベクターを含む細胞。
【請求項９】
Ｔ細胞である、請求項８に記載の細胞。
【請求項１０】
前記Ｔ細胞がＣＤ８＋Ｔ細胞である、請求項９に記載の細胞。
【請求項１１】
ヒト細胞である、請求項８に記載の細胞。
【請求項１２】
哺乳動物における抗腫瘍免疫をもたらすための医薬を製造するための、請求項８に記載の細胞の使用。
【請求項１３】
哺乳動物においてがんを処置または予防するための医薬を製造するための、請求項３に記載のキメラ抗原受容体（ＣＡＲ）の使用。
【請求項１４】
抗腫瘍有効量のヒトＴ細胞集団を含む医薬組成物であって、前記Ｔ細胞が配列番号８のアミノ酸配列を含むキメラ抗原受容体（ＣＡＲ）をコードする核酸配列を含む、医薬組成物。
【請求項１５】
前記Ｔ細胞が、血液学的がんを有するヒトのＴ細胞である、請求項１４に記載の医薬組成物。
【請求項１６】
前記血液学的がんが、白血病またはリンパ腫である、請求項１５に記載の医薬組成物。
【請求項１７】
前記白血病が、慢性リンパ性白血病（ＣＬＬ）、急性リンパ性白血病（ＡＬＬ）もしくは慢性骨髄性白血病（ＣＭＬ）であり、または、
前記リンパ腫が、マントル細胞リンパ腫、非ホジキンリンパ腫またはホジキンリンパ腫である、請求項１６に記載の医薬組成物。
【請求項１８】
前記血液学的がんが多発性骨髄腫である、請求項１５に記載の医薬組成物。
【請求項１９】
ヒトがんが、口腔および咽頭がん（舌、口、咽頭、頭頸部）、消化器系がん（食道、胃、小腸、結腸、直腸、肛門、肝臓、肝内胆管、胆嚢、膵臓）、呼吸器系がん（喉頭、肺および気管支）、骨および関節のがん、軟組織がん、皮膚がん（黒色腫、基底細胞癌および扁平上皮癌）、小児腫瘍（神経芽細胞腫、横紋筋肉腫、骨肉腫、ユーイング肉腫）、中枢神経系の腫瘍（脳腫瘍、星状細胞腫、神経膠芽腫、神経膠腫）、ならびに乳房、生殖系（子宮頸部、子宮体、卵巣、外陰部、腟、前立腺、精巣、陰茎、子宮内膜）、泌尿器系（膀胱、腎臓および腎盂、尿管）、眼および眼窩、内分泌系（甲状腺）ならびに脳および他の神経系のがん、またはそれらの任意の組合せを含む成人癌を含む、請求項１４に記載の医薬組成物。
【手続補正書】
【提出日】平成30年11月6日(2018.11.6)
【手続補正１】
【補正対象書類名】特許請求の範囲
【補正対象項目名】全文
【補正方法】変更
【補正の内容】
【特許請求の範囲】
【請求項１】
流体の流れを移送するための管において医療処置を実施するための装置であって、
膨張状態にあるときに前記管内の前記流体の流れを許容するための膨張可能な灌流バルーンと、
前記流体の流れを制御するための膨張可能なバルブと、
前記灌流バルーンを支持するためのカテーテルシャフトであって、前記膨張可能なバルブを支持するための支持体を受け入れるための少なくとも１つの内腔を有するカテーテルシャフトと
を備え、
膨張されたときの前記膨張可能なバルブは、流体の流れを実質的に塞ぐ第１の位置と、流体の流れを許容する第２の位置と、の間で前記支持体に対して移動可能である
装置。
【請求項２】
請求項１に記載の装置であって、
前記膨張可能なバルブは、前記灌流バルーンの内部通路に関連付けられたバルーンを備える
装置。
【請求項３】
請求項２に記載の装置であって、
前記バルーンは、略球状のバルーンを備える
装置。
【請求項４】
請求項１に記載の装置であって、
前記支持体は、前記膨張可能なバルブのための膨張内腔を備える
装置。
【請求項５】
流体の流れを移送するための管において医療処置を実施するのに使用するための装置であって、
前記管内の前記流体の流れを受け入れるための開口に関連付けられた通路を有する灌流バルーンと、
前記流体の流れを制御するための、前記通路内に選択的に位置決め可能なバルブと
を備え、
前記バルブは、前記通路への流体の流れを実質的に塞ぐ第１の位置と、前記通路への流体の流れを許容する第２の位置と、の間で移動可能であり、
前記灌流バルーンは、前記第１の位置において前記バルブを保持するために、近位端に保持部を備える
装置。
【請求項６】
請求項５に記載の装置であって、
前記バルブは、前記灌流バルーンの内部通路内に位置決めされる膨張可能なバルーンを備える
装置。
【請求項７】
請求項５に記載の装置であって、
前記膨張可能なバルーンは、略球状のバルーンを備える
装置。
【請求項８】
請求項５に記載の装置であって、
さらに、前記灌流バルーンを支持するためのカテーテルシャフトを備え、
前記カテーテルシャフトは、前記膨張可能なバルブを支持するための支持体を受け入れるための少なくとも１つの内腔を備える
装置。
【請求項９】
請求項１ないし請求項８のいずれか一項に記載の装置であって、
前記灌流バルーンは、該灌流バルーンの単一の断面において複数のセルを備える
装置。
【請求項１０】
請求項９に記載の装置であって、
各セルは、前記灌流バルーンを支持するカテーテルシャフトまで延在するネック部を備え、
前記ネック部は、前記膨張可能なバルブのための保持部を一緒に形成する
装置。
【請求項１１】
請求項５に記載の装置であって、
前記保持部は、前記灌流バルーンの近位端部に位置する
装置。
【請求項１２】
流体の流れを移送するための管において医療処置を実施するのに使用するための装置であって、
膨張状態において流体を移送するための通路を有する第１の膨張可能なバルーンと、
前記通路を通る前記流体の流れを制御するための第２の膨張可能なバルーンと
を備え、
膨張されたときの前記第２の膨張可能なバルーンは、前記通路を通る流体の流れを実質的に塞ぐ第１の位置から、前記通路を通る流体の流れを許容する第２の位置まで移動可能であり、
前記装置は、さらに、前記第１の膨張可能なバルーンを支持するためのカテーテルシャフトを備え、
前記カテーテルシャフトは、前記第１の膨張可能なバルーンに流体連通する第１の内腔と、前記第２の膨張可能なバルーンに流体連通する第２の内腔と、を備える
装置。
【請求項１３】
請求項１２に記載の装置であって、
前記第２の膨張可能なバルーンは、前記通路を通る流体の流れを実質的に塞ぐ第１の位置から、前記通路を通る流体の流れを許容する第２の位置まで、前記第１の膨張可能なバルーン内をガイドワイヤチューブに沿って移動可能である
装置。
【請求項１４】
請求項１２に記載の装置であって、
前記第１のバルーンは、該バルーンの単一の断面において複数のセルを備え、
前記第２のバルーンは、略球状のバルーンを備える
装置。
【請求項１５】
流体の流れを移送するための管において医療処置を実施するのに使用するための装置であって、
第１の近位位置から第２の遠位位置まで摺動的に移動するように構成された膨張可能なバルーンを有する支持体を備える
装置。
【請求項１６】
請求項１５に記載の装置であって、
前記支持体は、前記バルーンに流体を供給するための膨張内腔を有するチューブを備える
装置。
【請求項１７】
請求項１５または請求項１６に記載の装置であって、
前記バルーンは、略球状であり、近位ネック部と遠位ネック部とを備える
装置。
【請求項１８】
流体の流れを移送するための管において医療処置を実施するのに使用するための装置であって、
略球状の膨張可能な本体と、近位ネック部と、遠位ネック部と、を有するバルーンを備える
装置
【請求項１９】
請求項１８に記載の装置であって、
前記近位ネック部および前記遠位ネック部は、略円形の断面を有する
装置
【請求項２０】
請求項１８または請求項１９に記載の装置であって、
さらに、前記バルーンを支持するための支持体を備え、
前記支持体は、前記膨張可能な本体に流体連通する膨張内腔を備える
装置。
【請求項２１】
請求項１８ないし請求項２０のいずれか一項に記載の装置であって、
さらに、前記バルーンを受け入れるように構成された灌流バルーンを備える
装置。
【請求項２２】
流体の流れを移送するための管において医療処置を実施するのに使用するための装置であって、
第１の膨張可能なバルーンと、
前記第１の膨張可能なバルーンを支持し、第１の内腔を有するカテーテルシャフトと、
前記第１の内腔内に位置決めされるガイドワイヤチューブであって、前記膨張可能なバルーンへ膨張流体を供給するための膨張内腔と、ガイドワイヤを受け入れるためのガイドワイヤ内腔と、を有するガイドワイヤチューブと
を備える装置。
【請求項２３】
請求項２２に記載の装置であって、
前記カテーテルチューブは、前記第１の膨張可能なバルーンへ膨張流体を供給するための第２の内腔を備える
装置。
【請求項２４】
請求項２２または請求項２３に記載の装置であって、
さらに、前記ガイドワイヤチューブの前記膨張内腔に流体連通する第２の膨張可能なバルーンを備える
装置。
【請求項２５】
請求項２２に記載の装置であって、
前記第１の膨張可能なバルーンは、灌流バルーンを備え、
前記第２の膨張可能なバルーンは、前記灌流バルーン内に位置決めされる
装置。
【請求項２６】
請求項２５に記載の装置であって、
前記灌流バルーンは、該バルーンの単一の断面において複数の膨張可能なセルを備え、
各セルは、前記第１の内腔に流体連通する近位ネック部を備える
装置。
【請求項２７】
請求項２２ないし請求項２６のいずれか一項に記載の装置であって、
前記第１の膨張可能なバルーンは、略球状のバルーンを備える
装置。